(57)【要約】【課題】第三者に情報の存在を認識させ難くして、秘匿性の高いデータ伝送を行うことができる非接触データ送信装置、非接触データ受信装置及び非接触データ伝送方法を提供する。【解決手段】情報送信時には、ユーザの伝送希望情報をデータ列に変換してそのデータ列から動画を作成し、それをディスプレイに表示し、他方、情報受信時には、伝送元である相手の携帯電話のディスプレイに表示されている画像をカメラで撮影し、撮影した画像からデータ列を抽出し、さらにそのデータ列から情報を抽出する。これにより、情報の存在を第三者に認識させることなく伝送でき、高い秘匿性を確保することが可能となる。【選択図】図２
2006148776.tif 000002
【特許請求の範囲】
【請求項１】
伝送しようとする情報を非接触で送信する非接触データ送信装置において、
前記情報をデータ列に変換するデータ列変換手段と、
情報量に応じて前記データ列変換手段より得られるデータ列から複数画面分の画像を作成する画像作成手段と、
前記画像作成手段で作成された複数画面分の画像を時間的に連続して動画としてディスプレイに表示する表示制御手段と、
を備えた非接触データ送信装置。
【請求項２】
伝送しようとする情報を非接触で送信する非接触データ送信装置において、
前記情報をデータ列に変換するデータ列変換手段と、
前記データ列変換手段より得られるデータ列を対応する色に変換する色変換手段と、
情報量に応じて前記色変換手段より得られる色情報から複数画面分の画像を作成する画像作成手段と、
前記画像作成手段で作成された複数画面分の画像を時間的に連続して動画としてディスプレイに表示する表示制御手段と、
を備えた非接触データ送信装置。
【請求項３】
伝送しようとする情報を非接触で送信する非接触データ送信装置において、
前記情報をデータ列に変換するデータ列変換手段と、
前記データ列変換手段より得られるデータ列と前記伝送しようとする情報とは無関係な画像データとを位置的な規則性を持たせて配置する画像作成手段と、
前記画像作成手段で作成された画像をディスプレイに表示する表示制御手段と、
を備えた非接触データ送信装置。
【請求項４】
伝送しようとする情報を非接触で送信する非接触データ送信装置において、
前記情報をデータ列に変換するデータ列変換手段と、
前記データ列変換手段より得られるデータ列から画像を作成し、作成した画像と前記伝送しようとする情報とは無関係な画像データとを時間的な規則性を持たせて配置する画像作成手段と、
前記画像作成手段で作成された画像をディスプレイに表示する表示制御手段と、
を備えた非接触データ送信装置。
【請求項５】
伝送元機器から送信される情報を非接触で受信する非接触データ受信装置において、
データ伝送元機器のディスプレイに表示された動画像を撮影するための撮影手段と、
前記撮影手段にて撮影された動画像からデータ列を抽出するデータ列抽出手段と、
前記データ列抽出手段にて抽出されたデータ列から情報を抽出する情報抽出手段と、
を備えた非接触データ受信装置。
【請求項６】
伝送元機器から送信される情報を非接触で受信する非接触データ受信装置において、
データ伝送元機器のディスプレイに表示された動画像を撮影するための撮影手段と、
前記撮影手段にて撮影された動画像から色情報を抽出する色情報抽出手段と、
前記色情報抽出手段にて抽出された色情報からデータ列を抽出するデータ列抽出手段と、
前記データ列抽出手段にて抽出されたデータ列から情報を抽出する情報抽出手段と、
を備えた非接触データ受信装置。
【請求項７】
伝送元機器から送信される情報を非接触で受信する非接触データ受信装置において、
データ伝送元機器のディスプレイに表示された画像を撮影するための撮影手段と、
前記撮影手段にて撮影された画像からダミー画像を削除するダミー画像削除手段と、
前記ダミー画像削除手段にてダミー画像を削除して残ったデータ列から情報を抽出する情報抽出手段と、
を備えた非接触データ受信装置。
【請求項８】
伝送元機器から送信される情報を非接触で受信する非接触データ受信装置において、
データ伝送元機器のディスプレイに表示された画像を撮影するための撮影手段と、
前記撮影手段にて撮影された画像からダミー画像を削除するダミー画像削除手段と、
前記ダミー画像削除手段にてダミー画像を削除して残った画像からデータ列を抽出するデータ列抽出手段と、
前記データ列抽出手段にて抽出されたデータ列から情報を抽出する情報抽出手段と、
を備えた非接触データ受信装置。
【請求項９】
請求項１に記載の非接触データ送信装置と、
請求項５に記載の非接触データ受信装置と、
を備えた電子機器。
【請求項１０】
請求項２に記載の非接触データ送信装置と、
請求項６に記載の非接触データ受信装置と、
を備えた電子機器。
【請求項１１】
請求項３に記載の非接触データ送信装置と、
請求項７に記載の非接触データ受信装置と、
を備えた電子機器。
【請求項１２】
請求項４に記載の非接触データ送信装置と、
請求項８に記載の非接触データ受信装置と、
を備えた電子機器。
【請求項１３】
伝送しようとする情報を非接触で送信する非接触データ伝送方法において、
前記情報をデータ列に変換するデータ列変換工程と、
情報量に応じて前記データ列変換工程より得られるデータ列から複数画面分の画像を作成する画像作成工程と、
前記画像作成工程で作成された複数画面分の画像を時間的に連続して動画としてディスプレイに表示する表示制御工程と、
を備えた非接触データ伝送方法。
【請求項１４】
伝送しようとする情報を非接触で送信する非接触データ伝送方法において、
前記情報をデータ列に変換するデータ列変換工程と、
前記データ列変換工程より得られるデータ列を対応する色に変換する色変換工程と、
情報量に応じて前記色変換工程より得られる色情報から複数画面分の画像を作成する画像作成工程と、
前記画像作成工程で作成された複数画面分の画像を時間的に連続して動画としてディスプレイに表示する表示制御工程と、
を備えた非接触データ伝送方法。
【請求項１５】
伝送しようとする情報を非接触で送信する非接触データ伝送方法において、
前記情報をデータ列に変換するデータ列変換工程と、
前記データ列変換工程より得られるデータ列と前記伝送しようとする情報とは無関係な画像データとを位置的な規則性を持たせて配置する画像作成工程と、
前記画像作成工程で作成された画像をディスプレイに表示する表示制御工程と、
を備えた非接触データ伝送方法。
【請求項１６】
伝送しようとする情報を非接触で送信する非接触データ伝送方法において、
前記情報をデータ列に変換するデータ列変換工程と、
前記データ列変換工程より得られるデータ列から画像を作成し、作成した画像と前記伝送しようとする情報とは無関係な画像データとを時間的な規則性を持たせて配置する画像作成工程と、
前記画像作成工程で作成された画像をディスプレイに表示する表示制御工程と、
を備えた非接触データ伝送方法。
【請求項１７】
伝送元機器から送信される情報を非接触で受信する非接触データ伝送方法において、
データ伝送元機器のディスプレイに表示された動画像を撮影するための撮影工程と、
前記撮影工程にて撮影された動画像からデータ列を抽出するデータ列抽出工程と、
前記データ列抽出手段にて抽出されたデータ列から情報を抽出する情報抽出工程と、
を備えた非接触データ伝送方法。
【請求項１８】
伝送元機器から送信される情報を非接触で受信する非接触データ伝送方法において、
データ伝送元機器のディスプレイに表示された動画像を撮影するための撮影工程と、
前記撮影工程にて撮影された動画像から色情報を抽出する色情報抽出工程と、
前記色情報抽出工程にて抽出された色情報からデータ列を抽出するデータ列抽出工程と、
前記データ列抽出工程にて抽出されたデータ列から情報を抽出する情報抽出工程と、
を備えた非接触データ伝送方法。
【請求項１９】
伝送元機器から送信される情報を非接触で受信する非接触データ伝送方法において、
データ伝送元機器のディスプレイに表示された画像を撮影するための撮影工程と、
前記撮影工程にて撮影された画像からダミー画像を削除するダミー画像削除工程と、
前記ダミー画像削除工程にてダミー画像を削除して残ったデータ列から情報を抽出する情報抽出工程と、
を備えた非接触データ伝送方法。
【請求項２０】
伝送元機器から送信される情報を非接触で受信する非接触データ伝送方法において、
データ伝送元機器のディスプレイに表示された画像を撮影するための撮影工程と、
前記撮影工程にて撮影された画像からダミー画像を削除するダミー画像削除工程と、
前記ダミー画像削除工程にてダミー画像を削除して残った画像からデータ列を抽出するデータ列抽出工程と、
前記データ列抽出工程にて抽出されたデータ列から情報を抽出する情報抽出工程と、
を備えた非接触データ伝送方法。
【発明の詳細な説明】
【技術分野】
【０００１】
本発明は、カメラ付き携帯電話やカメラ付ＰＤＡ（Personal Digital Assistant）などの電子機器に用いて好適な非接触データ送信装置、非接触データ受信装置及び非接触データ伝送方法に関する。
【背景技術】
【０００２】
従来、縦横２方向に情報を持つ２次元バーコードが開発されている。また、この２次元バーコードの一種であるＱＲ（Quick Response）コードをディスプレイに表示したり、ディスプレイに表示されたＱＲコードを読み取ったりすることができる電子機器が提案されている（例えば、特許文献１、特許文献２、特許文献３参照）。
【０００３】
特許文献１では、ディスプレイにＱＲコードを表示することができるＰＯＳ端末と、このＰＯＳ端末のディスプレイに表示されたＱＲコードを読み取ることができる携帯電話が開示されており、特許文献２では、広告媒体に印刷されたＱＲコードを読み取ることができる携帯電話が開示されている。また、特許文献３では、ディスプレイにＱＲコードを表示することができる携帯電話と、この携帯電話のディスプレイに表示されたＱＲコードを読み取ることができるＰＯＳ端末が開示されている。
【０００４】
【特許文献１】特開２００２−１０９４２１号公報
【特許文献２】特開２００２−１１８６８０号公報
【特許文献３】特開２００３−００６５７０号公報
【発明の開示】
【発明が解決しようとする課題】
【０００５】
しかしながら、従来の画像情報を非接触で伝送することが可能な電子機器においては、情報が存在することが第三者にとっても明白であり、情報の秘匿性が低いという問題がある。
【０００６】
本発明は、係る事情に鑑みてなされたものであり、第三者に情報の存在を認識させ難くして、秘匿性の高いデータ伝送を行うことができる非接触データ送信装置、非接触データ受信装置及び非接触データ伝送方法を提供することを目的とする。
【課題を解決するための手段】
【０００７】
上記目的は下記構成及び方法により達成される。
（１）  伝送しようとする情報を非接触で送信する非接触データ送信装置において、前記情報をデータ列に変換するデータ列変換手段と、情報量に応じて前記データ列変換手段より得られるデータ列から複数画面分の画像を作成する画像作成手段と、前記画像作成手段で作成された複数画面分の画像を時間的に連続して動画としてディスプレイに表示する表示制御手段と、を備える。
【０００８】
（２）  伝送しようとする情報を非接触で送信する非接触データ送信装置において、前記情報をデータ列に変換するデータ列変換手段と、前記データ列変換手段より得られるデータ列を対応する色に変換する色変換手段と、情報量に応じて前記色変換手段より得られる色情報から複数画面分の画像を作成する画像作成手段と、前記画像作成手段で作成された複数画面分の画像を時間的に連続して動画としてディスプレイに表示する表示制御手段と、を備える。
【０００９】
（３）  伝送しようとする情報を非接触で送信する非接触データ送信装置において、前記情報をデータ列に変換するデータ列変換手段と、前記データ列変換手段より得られるデータ列と前記伝送しようとする情報とは無関係な画像データとを位置的な規則性を持たせて配置する画像作成手段と、前記画像作成手段で作成された画像をディスプレイに表示する表示制御手段と、を備える。
【００１０】
（４）  伝送しようとする情報を非接触で送信する非接触データ送信装置において、前記情報をデータ列に変換するデータ列変換手段と、前記データ列変換手段より得られるデータ列から画像を作成し、作成した画像と前記伝送しようとする情報とは無関係な画像データとを時間的な規則性を持たせて配置する画像作成手段と、前記画像作成手段で作成された画像をディスプレイに表示する表示制御手段と、を備える。
【００１１】
（５）  伝送元機器から送信される情報を非接触で受信する非接触データ受信装置において、データ伝送元機器のディスプレイに表示された動画像を撮影するための撮影手段と、前記撮影手段にて撮影された動画像からデータ列を抽出するデータ列抽出手段と、前記データ列抽出手段にて抽出されたデータ列から情報を抽出する情報抽出手段と、を備える。
【００１２】
（６）  伝送元機器から送信される情報を非接触で受信する非接触データ受信装置において、データ伝送元機器のディスプレイに表示された動画像を撮影するための撮影手段と、前記撮影手段にて撮影された動画像から色情報を抽出する色情報抽出手段と、前記色情報抽出手段にて抽出された色情報からデータ列を抽出するデータ列抽出手段と、前記データ列抽出手段にて抽出されたデータ列から情報を抽出する情報抽出手段と、を備える。
【００１３】
（７）  伝送元機器から送信される情報を非接触で受信する非接触データ受信装置において、データ伝送元機器のディスプレイに表示された画像を撮影するための撮影手段と、前記撮影手段にて撮影された画像からダミー画像を削除するダミー画像削除手段と、前記ダミー画像削除手段にてダミー画像を削除して残ったデータ列から情報を抽出する情報抽出手段と、を備える。
【００１４】
（８）  伝送元機器から送信される情報を非接触で受信する非接触データ受信装置において、データ伝送元機器のディスプレイに表示された画像を撮影するための撮影手段と、前記撮影手段にて撮影された画像からダミー画像を削除するダミー画像削除手段と、前記ダミー画像削除手段にてダミー画像を削除して残った画像からデータ列を抽出するデータ列抽出手段と、前記データ列抽出手段にて抽出されたデータ列から情報を抽出する情報抽出手段と、を備える。
【００１５】
（９）  電子機器において、上記（１）に記載の非接触データ送信装置と、上記（５）に記載の非接触データ受信装置と、を備える。
【００１６】
（１０）  電子機器において、上記（２）に記載の非接触データ送信装置と、上記（６）に記載の非接触データ受信装置と、を備える。
【００１７】
（１１）  電子機器において、上記（３）に記載の非接触データ送信装置と、上記（７）に記載の非接触データ受信装置と、を備える。
【００１８】
（１２）  電子機器において、上記（４）に記載の非接触データ送信装置と、上記（８）に記載の非接触データ受信装置と、を備える。
【００１９】
（１３）  伝送しようとする情報を非接触で送信する非接触データ伝送方法において、前記情報をデータ列に変換するデータ列変換工程と、情報量に応じて前記データ列変換工程より得られるデータ列から複数画面分の画像を作成する画像作成工程と、前記画像作成工程で作成された複数画面分の画像を時間的に連続して動画としてディスプレイに表示する表示制御工程と、を備える。
【００２０】
（１４）  伝送しようとする情報を非接触で送信する非接触データ伝送方法において、前記情報をデータ列に変換するデータ列変換工程と、前記データ列変換工程より得られるデータ列を対応する色に変換する色変換工程と、情報量に応じて前記色変換工程より得られる色情報から複数画面分の画像を作成する画像作成工程と、前記画像作成工程で作成された複数画面分の画像を時間的に連続して動画としてディスプレイに表示する表示制御工程と、を備える。
【００２１】
（１５）  伝送しようとする情報を非接触で送信する非接触データ伝送方法において、前記情報をデータ列に変換するデータ列変換工程と、前記データ列変換工程より得られるデータ列と前記伝送しようとする情報とは無関係な画像データとを位置的な規則性を持たせて配置する画像作成工程と、前記画像作成工程で作成された画像をディスプレイに表示する表示制御工程と、を備える。
【００２２】
（１６）  伝送しようとする情報を非接触で送信する非接触データ伝送方法において、前記情報をデータ列に変換するデータ列変換工程と、前記データ列変換工程より得られるデータ列から画像を作成し、作成した画像と前記伝送しようとする情報とは無関係な画像データとを時間的な規則性を持たせて配置する画像作成工程と、前記画像作成工程で作成された画像をディスプレイに表示する表示制御工程と、を備える。
【００２３】
（１７）  伝送元機器から送信される情報を非接触で受信する非接触データ伝送方法において、データ伝送元機器のディスプレイに表示された動画像を撮影するための撮影工程と、前記撮影工程にて撮影された動画像からデータ列を抽出するデータ列抽出工程と、前記データ列抽出手段にて抽出されたデータ列から情報を抽出する情報抽出工程と、を備える。
【００２４】
（１８）  伝送元機器から送信される情報を非接触で受信する非接触データ伝送方法において、データ伝送元機器のディスプレイに表示された動画像を撮影するための撮影工程と、前記撮影工程にて撮影された動画像から色情報を抽出する色情報抽出工程と、前記色情報抽出工程にて抽出された色情報からデータ列を抽出するデータ列抽出工程と、前記データ列抽出工程にて抽出されたデータ列から情報を抽出する情報抽出工程と、を備える。
【００２５】
（１９）  伝送元機器から送信される情報を非接触で受信する非接触データ伝送方法において、データ伝送元機器のディスプレイに表示された画像を撮影するための撮影工程と、前記撮影工程にて撮影された画像からダミー画像を削除するダミー画像削除工程と、前記ダミー画像削除工程にてダミー画像を削除して残ったデータ列から情報を抽出する情報抽出工程と、を備える。
【００２６】
（２０）  伝送元機器から送信される情報を非接触で受信する非接触データ伝送方法において、データ伝送元機器のディスプレイに表示された画像を撮影するための撮影工程と、前記撮影工程にて撮影された画像からダミー画像を削除するダミー画像削除工程と、前記ダミー画像削除工程にてダミー画像を削除して残った画像からデータ列を抽出するデータ列抽出工程と、前記データ列抽出工程にて抽出されたデータ列から情報を抽出する情報抽出工程と、を備える。
【発明の効果】
【００２７】
上記（１）に記載の非接触データ送信装置では、伝送しようとする情報をデータ列に変換して画像を作成するので、情報の存在を第三者に認識させることなく伝送でき、高い秘匿性を確保することが可能となる。
【００２８】
上記（２）に記載の非接触データ送信装置では、データ列に対応する色に変換するので、色情報を加えることで、さらに情報の存在を第三者に認識させることなく伝送でき、高い秘匿性を確保することが可能となる。特に、各色とデータ列を対応させることにより、一度に伝送できるデータ量を増やすことが可能となる。
【００２９】
上記（３）に記載の非接触データ送信装置では、データ列と、伝送しようとする情報とは無関係な画像データとを位置的な規則性を持たせて配置した画像を作成するので、情報の存在を第三者に認識させることなく伝送でき、高い秘匿性を確保することが可能となる。
【００３０】
上記（４）に記載の非接触データ送信装置では、データ列と、伝送しようとする情報とは無関係な画像データとを時間的な規則性を持たせて配置した画像を作成するので、情報の存在を第三者に認識させることなく伝送でき、高い秘匿性を確保することが可能となる。
【００３１】
上記（５）に記載の非接触データ受信装置では、上記（１）に記載の非接触データ送信装置によりディスプレイに表示された画像を撮影し、撮影して得られた画像に対して該非接触データ送信装置における処理と逆の処理を行うので、元の情報を再生することができる。
【００３２】
上記（６）に記載の非接触データ受信装置では、上記（２）に記載の非接触データ送信装置によりディスプレイに表示された画像を撮影し、撮影して得られた画像に対して該非接触データ送信装置における処理と逆の処理を行うので、元の情報を再生することができる。
【００３３】
上記（７）に記載の非接触データ受信装置では、上記（３）に記載の非接触データ送信装置によりディスプレイに表示された画像を撮影し、撮影して得られた画像に対して該非接触データ送信装置における処理と逆の処理を行うので、元の情報を再生することができる。
【００３４】
上記（８）に記載の非接触データ受信装置では、上記（４）に記載の非接触データ送信装置によりディスプレイに表示された画像を撮影し、撮影して得られた画像に対して該非接触データ送信装置における処理と逆の処理を行うので、元の情報を再生することができる。
【００３５】
上記（９）に記載の電子機器では、上記（１）に記載の非接触データ送信装置と、上記（５）に記載の非接触データ受信装置と、を備えるので、情報の存在を第三者に認識させることなく、高い秘匿性が確保できる伝送を行える。
【００３６】
上記（１０）に記載の電子機器では、上記（２）に記載の非接触データ送信装置と、上記（６）に記載の非接触データ受信装置と、を備えるので、情報の存在を第三者に認識させることなく、高い秘匿性が確保できる伝送を行える。
【００３７】
上記（１１）に記載の電子機器では、上記（３）に記載の非接触データ送信装置と、上記（７）に記載の非接触データ受信装置と、を備えるので、情報の存在を第三者に認識させることなく、高い秘匿性が確保できる伝送を行える。
【００３８】
上記（１２）に記載の電子機器では、上記（４）に記載の非接触データ送信装置と、上記（８）に記載の非接触データ受信装置と、を備えるので、情報の存在を第三者に認識させることなく、高い秘匿性が確保できる伝送を行える。
【００３９】
上記（１３）に記載の非接触データ伝送方法では、伝送しようとする情報をデータ列に変換して画像を作成するので、情報の存在を第三者に認識させることなく伝送でき、高い秘匿性を確保することが可能となる。
【００４０】
上記（１４）に記載の非接触データ伝送方法では、データ列に対応する色に変換するので、色情報を追加することにより、さらに情報の存在を第三者に認識させることなく伝送でき、高い秘匿性を確保することが可能となる。特に、各色とデータ列を対応させることにより、一度に伝送できるデータ量を増やすことが可能となる。
【００４１】
上記（１５）に記載の非接触データ伝送方法では、データ列と、伝送しようとする情報とは無関係な画像データとを位置的な規則性を持たせて配置した画像を作成するので、情報の存在を第三者に認識させることなく伝送でき、高い秘匿性を確保することが可能となる。
【００４２】
上記（１６）に記載の非接触データ伝送方法では、データ列と、伝送しようとする情報とは無関係な画像データとを時間的な規則性を持たせて配置した画像を作成するので、情報の存在を第三者に認識させることなく伝送でき、高い秘匿性を確保することが可能となる。
【００４３】
上記（１７）に記載の非接触データ伝送方法では、上記（１３）に記載の非接触データ伝送方法によりディスプレイに表示された画像を撮影し、撮影して得られた画像に対して該非接触データ伝送方法における処理と逆の処理を行うので、元の情報を再生することができる。
【００４４】
上記（１８）に記載の非接触データ伝送方法では、上記（１４）に記載の非接触データ伝送方法によりディスプレイに表示された画像を撮影し、撮影して得られた画像に対して該非接触データ伝送方法における処理と逆の処理を行うので、元の情報を再生することができる。
【００４５】
上記（１９）に記載の非接触データ伝送方法では、上記（１５）に記載の非接触データ伝送方法によりディスプレイに表示された画像を撮影し、撮影して得られた画像に対して該非接触データ伝送方法における処理と逆の処理を行うので、元の情報を再生することができる。
【００４６】
上記（２０）に記載の非接触データ伝送方法では、上記（１６）に記載の非接触データ伝送方法によりディスプレイに表示された画像を撮影し、撮影して得られた画像に対して該非接触データ伝送方法における処理と逆の処理を行うので、元の情報を再生することができる。
【発明を実施するための最良の形態】
【００４７】
以下、本発明を実施するための好適な実施の形態について、図面を参照して詳細に説明する。
【００４８】
（実施の形態１）
図１は、本発明の実施の形態１に係る携帯電話の概略構成を示すブロック図である。この図において、本実施の形態の携帯電話１００は、カメラ付き携帯電話であり、通常の通話や電子メールの送受信を行う無線部１０と、この無線部１０に接続されるアンテナ１１、マイク１２及びスピーカ１３と、携帯電話１００の各部を制御する制御部１４と、この制御部１４を動作させるためのプログラムが格納されたプログラムメモリ１５と、制御部１４の動作において使用されるワークメモリ１６と、画像データ等の多量のデータを記憶可能な大容量メモリ１７と、携帯電話１００の操作を行う操作部１８と、携帯電話１００の使用時に各種表示を行うためのディスプレイ１９と、制御部１４からの指令に従ってディスプレイ１９に所定の表示を行う表示制御部２０と、ＣＣＤ（Charge Coupled Device）等の固体撮像素子を用いたカメラ２１と、制御部１４からの指令に従ってカメラ２１を制御するカメラ制御部２２とを備えて構成される。上記各部１０、１４〜２２はバス２３によって共通接続されている。
【００４９】
制御部１４にはマイクロコンピュータ（図示略）が使用され、このマイクロコンピュータがプログラムメモリ１５に格納されているプログラムに従って携帯電話１００の各部を制御する。操作部１８はテンキーや各種機能キーを有して構成され、電話を掛けたり、電子メールの作成や送受信を行ったり、携帯電話１００と同様のデータ送受信機能を有する携帯電話との間でデータの伝送を行ったりするのに使用される。
【００５０】
ディスプレイ１９には、例えば待ち受け時には待ち受け画像が表示され、携帯電話１００と同様のデータ送受信機能を有する他の携帯電話１００との間でデータ伝送を行う際には情報を埋め込んだ静止画又は動画が表示される。情報を含んだ画像の詳細については後述する。カメラ制御部２２は撮影時に露出調整、シャッタースピード、ホワイトバランス調整等の各種調整を行う。カメラ２１で撮影された画像は圧縮処理された後、大容量メモリ１７に格納される。動画の場合は１フレーム毎に圧縮処理されて大容量メモリ１７に格納される。
【００５１】
なお、本実施の形態において、制御部１４は、データ列変換手段、画像作成手段、データ列抽出手段及び情報抽出手段に対応する。また、表示制御部２０は、表示制御手段に対応する。また、カメラ２１及びカメラ制御部２２は撮影手段を構成する。
【００５２】
次に、上記構成の携帯電話１００の動作について説明する。なお、この動作説明において、携帯電話１００と同じ機能を持つ携帯電話１００が他に１台あり、これらの携帯電話１００間でデータの伝送が行われるものとする。図２は、携帯電話１００のデータ伝送時の動作フロー図である。この図において、伝送元の携帯電話には「１００Ａ」の符号を、伝送先の携帯電話には「１００Ｂ」の符号を夫々付けている。
【００５３】
さて、伝送元の携帯電話１００Ａでは、ユーザが伝送しようとする情報を取得する（ステップＳ１０）。次いで、取得した情報を縦方向のデータ列と横方向のデータ列に変換して２次元画像を作成する（ステップＳ１１、ステップＳ１２）。この場合、伝送しようとする情報量に応じて２次元画像を数画面分作成する。情報量に応じた２次元画像を作成した後、それらを時間的に連続して動画としてディスプレイ１９に表示する（ステップＳ１３）。なお、１画面分の情報量しかない場合は当然ながら静止画となる。ディスプレイ１９に表示された動画は、ＱＲコードなどのように一見して情報と分かるものではなく、例えば漫画のキャラクタのようなものである。これにより、第三者に情報の存在を認識させ難くでき、高い秘匿性を確保することが可能となる。
【００５４】
一方、伝送先の携帯電話１００Ｂにて、伝送元である携帯電話１００Ａからの情報を復元する場合は、まず伝送元である携帯電話１００Ａのディスプレイ１９に表示された動画（静止画の場合もある）をカメラ２１で撮影してその画像を取得する（ステップＳ１４）。そして、取得した画像からデータ列を抽出する（ステップＳ１５）。次いで、抽出したデータ列から元の情報を抽出する（ステップＳ１６）。これにより、伝送元の携帯電話１００Ａから送られた情報が再生される（ステップＳ１７）。再生された情報は携帯電話１００Ｂのディスプレイ１９に表示される。
【００５５】
このように本実施の形態の携帯電話１００によれば、情報送信時には、ユーザの伝送希望情報をデータ列に変換してそのデータ列から動画（又は静止画）を作成し、それをディスプレイ１９に表示し、他方、情報受信時には、伝送元である相手の携帯電話１００のディスプレイ１９に表示されている画像をカメラ２１で撮影し、撮影した画像からデータ列を抽出し、さらにそのデータ列から情報を抽出するので、情報の存在を第三者に認識させることなく伝送でき、高い秘匿性を確保することが可能となる。
【００５６】
なお、上記実施の形態では、携帯電話１００にデータ送信機能とデータ受信機能を設けたが、必ずしも２つの機能を設ける必要はなく、いずれか一方のみであっても良い。
【００５７】
（実施の形態２）
本発明の実施の形態２に係る携帯電話は、上述した実施の形態１の携帯電話１００と同様の構成を採るので、図１を援用することとする。また、本実施の形態の携帯電話には２００の符号を付けることとする。
【００５８】
本実施の形態の携帯電話２００は、情報送信時には、ユーザが伝送しようとする情報をデータ列に変換した後、データ列を対応する色に変換し、その色情報から動画を作成してディスプレイ１９に表示し、情報受信時には、カメラ２１で撮影した動画から色情報を抽出し、その色からデータ列を抽出し、さらに抽出したデータ列から情報を抽出するものである。すなわち、本実施の形態の携帯電話２００は、上述した実施の形態１に色情報を追加したものであり、新たな情報を追加することでさらに高い秘匿性を確保することが可能となる。また、複数の色とデータ列を対応させることにより、一度に伝送できるデータ量を増やすことが可能となる。なお、作成する画像は動画だけでなく、静止画もある。
【００５９】
なお、本実施の形態において、制御部１４は、データ列変換手段、色変換手段、画像作成手段、色情報抽出手段、データ列抽出手段及び情報抽出手段に対応する。また、表示制御部２０は、表示制御手段に対応する。また、カメラ２１及びカメラ制御部２２は撮影手段を構成する。
【００６０】
図３は、本実施の形態の携帯電話２００におけるデータ伝送時の動作フロー図である。この図において、伝送元の携帯電話には「２００Ａ」の符号を、伝送先の携帯電話には「２００Ｂ」の符号を夫々付けている。
【００６１】
さて、伝送元の携帯電話２００Ａでは、ユーザが伝送しようとする情報を取得する（ステップＳ２０）。次いで、取得した情報を縦方向のデータ列と横方向のデータ列に変換する（ステップＳ２１）。次いで、各データ列を対応する色に変換する（ステップＳ２２）。例えば、縦方向のデータ列を白、横方向のデータ列を黒とする。なお、各色は白、黒に限定されるものではなく任意である。
【００６２】
各データ列を対応する色に変換した後、色情報から動画（静止画の場合もある）を作成し（ステップＳ２３）、それをディスプレイ１９に表示する（ステップＳ２４）。ディスプレイ１９に表示した動画はＱＲコードなどのように一見して情報と分かるものではなく、例えば漫画のキャラクタのようなものである。特に、色情報から動画を作成するので、実施の形態１よりもさらに情報の存在を第三者に認識されることが少なく、高い秘匿性を確保することが可能となる。
【００６３】
一方、伝送先の携帯電話２００Ｂにて、伝送元である携帯電話２００Ａからの情報を復元する場合は、まず伝送元である携帯電話２００Ａのディスプレイ１９に表示された動画（又は静止画）をカメラ２１で撮影してその画像を取得する（ステップＳ２５）。そして、取得した画像から色情報を抽出し（ステップＳ２６）、これにより得られた色からデータ列を抽出する（ステップＳ２７）。その後、データ列から情報を抽出する（ステップＳ２８）。これにより、伝送元の携帯電話２００Ａを所有するユーザが伝送を希望した情報が再生される（ステップＳ２９）。再生された情報は携帯電話２００Ｂのディスプレイ１９に表示される。
【００６４】
このように本実施の形態の携帯電話２００によれば、情報送信時には、ユーザが伝送しようとする情報をデータ列に変換し、さらにそのデータ列を対応する色に変換し、変換後の色情報から動画（又は静止画）を作成してそれをディスプレイ１９に表示し、他方、情報受信時には、伝送元の携帯電話２００のディスプレイ１９に表示されている動画（又は静止画）をカメラ２１で撮影し、撮影した画像から色情報を抽出し、その色からデータ列を抽出して該データ列から情報を抽出するので、情報の存在を第三者に認識させることなく伝送でき、高い秘匿性を確保することが可能となる。
【００６５】
（実施の形態３）
本発明の実施の形態３に係る携帯電話は、上述した実施の形態１の携帯電話１００と同様の構成を採るので、図１を援用することとする。また、本実施の形態の携帯電話には３００の符号を付けることとする。
【００６６】
本実施の形態の携帯電話３００は、情報送信時には、ユーザが伝送しようとする情報をデータ列に変換した後、そのデータ列と、ユーザが伝送しようとする情報とは無関係な画像データ（ダミー画像）とを位置的な規則性を持たせて配置してディスプレイ１９に表示し、情報受信時には、カメラ２１で撮影した画像からダミー画像を削除し、ダミー画像削除後のデータ列から情報を抽出するものである。
【００６７】
本実施の形態の画像は、全てが情報と対応する画像である必要はなく、ユーザが伝送しようとする情報を変換することにより得られるデータ列と、ユーザが伝送しようとする情報と無関係な画像データとを位置的な規則性を持たせて配置するようにしている。
【００６８】
なお、本実施の形態において、制御部１４は、データ列変換手段、画像作成手段、ダミー画像削除手段及び情報抽出手段に対応する。また、表示制御部２０は、表示制御手段に対応する。また、カメラ２１及びカメラ制御部２２は撮影手段を構成する。
【００６９】
図４は、携帯電話３００のデータ伝送時の動作フロー図である。この図において、伝送元の携帯電話には「３００Ａ」の符号を、伝送先の携帯電話には「３００Ｂ」の符号を夫々付けている。
【００７０】
伝送元の携帯電話３００Ａでは、ユーザが伝送しようとする情報を取得する（ステップＳ３０）。次いで、取得した情報をデータ列に変換する（ステップＳ３１）。次いで、データ列とダミー画像とを位置的な規則性で配置する（ステップＳ３２）。例えば、偶数行は情報を変換することにより得られるデータ列とし、奇数行は情報に無関係な画像すなわちダミー画像とする。データ列とダミー画像とを位置的な規則性で配置して得られた画像をディスプレイ１９に表示する（ステップＳ３３）。
【００７１】
ディスプレイ１９に表示した画像はＱＲコードなどのように一見して情報と分かるものではなく、例えば漫画のキャラクタのようなものであり、情報の存在を第三者に認識されることが少なく、高い秘匿性を確保することが可能となる。
【００７２】
一方、伝送先の携帯電話３００Ｂにて、伝送元である携帯電話３００Ａからの情報を復元する場合は、まず伝送元である携帯電話３００Ａのディスプレイ１９に表示された画像をカメラ２１で撮影してその画像を取得する（ステップＳ３４）。そして、取得した画像からダミー画像を削除する（ステップＳ３５）。次いで、ダミー画像を削除して得られたデータ列から情報を抽出する（ステップＳ３６）。これにより、伝送元の携帯電話３００Ａを所有するユーザが伝送を希望した情報が再生される（ステップＳ３７）。再生された情報は携帯電話３００Ｂのディスプレイ１９に表示される。
【００７３】
このように本実施の形態の携帯電話３００によれば、情報送信時には、ユーザが伝送しようとする情報をデータ列に変換し、そのデータ列と、ユーザが伝送しようとする情報に無関係なダミー画像とを位置的な規則性を持たせて配置し、それにより得られた画像をディスプレイ１９に表示し、他方、情報受信時には、伝送元の携帯電話３００のディスプレイ１９に表示されている画像をカメラ２１で撮影し、撮影した画像からダミー画像を削除し、それにより得られたデータ列から情報を抽出するので、第三者には単なる画像に見えるものの、規則性を知っている通信相手のみ情報を抽出することが可能となり、情報の存在を第三者に認識させることなく伝送でき、高い秘匿性を確保することが可能となる。
【００７４】
なお、上記実施の形態３では、１つのデータ列をダミー画像と規則性を持たせて配置するようにしたが、情報量に応じて複数のデータ列に変換し、それぞれとダミー画像とを規則性を持たせて配置することは勿論可能である。
【００７５】
（実施の形態４）
本発明の実施の形態４に係る携帯電話は、上述した実施の形態１の携帯電話１００と同様の構成を採るので、図１を援用することとする。また、本実施の形態の携帯電話には４００の符号を付けることとする。
【００７６】
本実施の形態の携帯電話４００は、実施の形態３の携帯電話３００と同様にダミー画像を挿入する方式であるが、ダミー画像の挿入においては、時間的な挿入が行われる点で異なる。すなわち、本実施の形態では、情報送信時には、ユーザが伝送しようとする情報をデータ列に変換した後、データ列から画像を作成し、作成した画像と、ユーザが伝送しようとする情報とは無関係な画像データとを時間的な規則性を持たせて配置し、それをディスプレイ１９に表示し、情報受信時には、カメラ２１で撮影した画像からダミー画像を削除し、ダミー画像削除後の画像からデータ列を抽出し、抽出したデータ列から情報を抽出する。
【００７７】
このように、本実施の形態における動画は、全てが情報と対応する動画である必要はなく、情報を変換することにより得られる画像と、情報に無関係な画像データすなわちダミー画像とを時間的な規則性を持たせて配置するようにしている。例えば、２４コマに１回だけユーザが情報を変換することにより得られるデータ列とし、それ以外は情報に無関係な画像データとする。
【００７８】
なお、本実施の形態において、制御部１４は、データ列変換手段、画像作成手段、ダミー画像削除手段、データ列抽出手段及び情報抽出手段に対応する。また、表示制御部２０は、表示制御手段に対応する。また、カメラ２１及びカメラ制御部２２は撮影手段を構成する。
【００７９】
図５は、携帯電話４００のデータ伝送時の動作フロー図である。この図において、伝送元の携帯電話には「４００Ａ」の符号を、伝送先の携帯電話には「４００Ｂ」の符号を夫々付けている。
【００８０】
伝送元の携帯電話４００Ａでは、ユーザが伝送しようとする情報を取得する（ステップＳ４０）。次いで、取得した情報をデータ列に変換する（ステップＳ４１）。次いで、データ列から画像を作成する（ステップＳ４２）。この場合、実施の形態１と同様に、取得した情報を縦方向のデータ列と横方向のデータ列に変換して２次元画像を作成するが、１画面分以上の情報量であれば、その量に応じた数分作成する。２次元画像を作成した後、それ(又はそれら)とダミー画像とを時間的な規則性で配置し（ステップＳ４３）、その動画をディスプレイ１９に表示する（ステップＳ４４）。
【００８１】
ディスプレイ１９に表示した画像はＱＲコードなどのように一見して情報と分かるものではなく、例えば漫画のキャラクタのようなものであり、情報の存在を第三者に認識されることが少なく、高い秘匿性を確保することが可能となる。
【００８２】
一方、伝送先の携帯電話４００Ｂにて、伝送元である携帯電話４００Ａからの情報を復元する場合は、まず伝送元である携帯電話４００Ａのディスプレイ１９に表示された動画をカメラ２１で撮影してそれを取得する（ステップＳ４５）。そして、取得した動画からダミー画像を削除する（ステップＳ４６）。次いで、ダミー画像を削除して得られた画像からデータ列を抽出し（ステップＳ４７）、さらに抽出したデータ列から情報を抽出する（ステップＳ４８）。これにより、伝送元の携帯電話４００Ａを所有するユーザが伝送を希望した情報が再生される（ステップＳ４９）。再生された情報は携帯電話４００Ｂのディスプレイ１９に表示される。
【００８３】
このように本実施の形態の携帯電話４００によれば、情報送信時には、ユーザの伝送しようとする情報をデータ列に変換し、さらにそのデータ列から画像を作成し、それとダミー画像とを時間的に配置してディスプレイ１９に表示し、他方、情報受信時には、伝送元の携帯電話４００のディスプレイ１９に表示されている動画をカメラ２１で撮影し、撮影した動画からダミー画像を削除した後、ダミー画像削除後の画像からデータ列を抽出し、さらに該データ列から情報を抽出するので、第三者には単なる画像に見えるものの、規則性を知っている通信相手のみ情報を抽出することが可能となり、情報の存在を第三者に認識させることなく伝送でき、高い秘匿性を確保することが可能となる。
【００８４】
なお、上記実施の形態４では、１つの画像をダミー画像と規則性を持たせて配置するようにしたが、情報量に応じて複数の画像を作成し、それぞれとダミー画像とを規則性を持たせて配置することは勿論可能である。
【００８５】
また、上記実施の形態３、４では、伝送しようとする情報を変換することにより得られるデータ列、画像を、該情報に関連する画像、動画に埋め込んでも良い。例えば、以下のような画像、動画に埋め込み、ユーザが情報を抽出することにより、娯楽性を伴ったデータ伝送が可能となる。
【００８６】
（１）名刺の印刷面に自己紹介データを埋め込む
（２）商品広告の商品画像に商品説明を埋め込む
（３）トレーディングカードのキャラクタ・イラストにキャラクタの情報を埋め込む
（４）コマーシャル動画に商品説明を埋め込む
【００８７】
また、上記実施の形態１〜４では、携帯電話について説明したが、カメラを備えている電子機器であれば、如何なるものにでも適用することは可能である。
【産業上の利用可能性】
【００８８】
本発明は、情報の存在を第三者に認識させることなく伝送でき、高い秘匿性を確保することができるといった効果を有し、カメラ付き携帯電話やカメラ付ＰＤＡなどの電子機器への適用が可能である。
【図面の簡単な説明】
【００８９】
【図１】本発明の実施の形態１に係る携帯電話の概略構成を示すブロック図
【図２】本発明の実施の形態１に係る携帯電話の動作を説明するためのフロー図
【図３】本発明の実施の形態２に係る携帯電話の動作を説明するためのフロー図
【図４】本発明の実施の形態３に係る携帯電話の動作を説明するためのフロー図
【図５】本発明の実施の形態４に係る携帯電話の動作を説明するためのフロー図
【符号の説明】
【００９０】
１０  無線部
１１  アンテナ
１２  マイク
１３  スピーカ
１４  制御部
１５  プログラムメモリ
１６  ワークメモリ
１７  大容量メモリ
１８  操作部
１９  ディスプレイ
２０  表示制御部
２１  カメラ
２２  カメラ制御部
２３  バス
１００、２００、３００、４００  携帯電話
【図１】
2006148776.tif 000003
【図２】
2006148776.tif 000004
【図３】
2006148776.tif 000005
【図４】
2006148776.tif 000006
【図５】
2006148776.tif 000007